(57)【要約】【課題】  介護施設や老人ホームなどの施設において、トイレの監視や管理にかかる介護スタッフの負担の軽減と、トイレにおける被介護者の異常状態での長時間放置の回避と、停電により生じる使用中トイレの滅灯によるパニックの回避とを図るために、トイレの使用状況の情報や異常を容易に知得出来る手段を擁し停電対策を講じた情報表示システムを提供すること。【解決手段】  ボタンの押下やトイレ使用状況の把握をもって作動する制御装置と、蓄電池を擁した電源装置と、情報表示具と、通報用装置との連動部とで構成した情報表示システムにより、トイレの空き情報の表示と、使用中情報の表示と、使用経過時間情報の表示と、異常な長時間継続使用時の異常情報の自動表示と、前記異常な長時間継続使用時の異常情報の自動緊急呼出と、被介護者自らの緊急呼出による介護スタッフへの異常情報通知と、使用中トイレの停電時における臨時照明とを可能にした。【選択図】図１
2011170827.tif 000002
【特許請求の範囲】
【請求項１】
トイレに使用情報を送出する手段を備え、前記トイレの使用情報を基に使用状況情報を送出する手段を備えた制御装置と、複数の表現手段をもって使用状態情報を表示する表示灯と、で構成され複数のトイレの空き情報の表示と使用中情報の表示と使用経過時間情報の表示とを可能とする情報表示システム。
【請求項２】
トイレの長時間継続使用情報を警報として送出する手段を備えた請求項１に記載した情報表示システム。
【請求項３】
トイレ内又はベッド周辺に設置された呼出しボタンの押下による呼出手段を備えた請求項１または請求項２に記載した情報表示システム。
【請求項４】
充電可能な蓄電池設備を備え、停電時における継続作動と作動開始とを可能し、上記トイレの使用情報を基に使用中のトイレを臨時的に照明することを可能とする請求項１または請求項２または請求項３のいずれかに記載の情報表示システム。
【発明の詳細な説明】
【技術分野】
【０００１】  本発明は、介護施設や老人ホームなどのトイレの使用状況情報として、空き情報や使用中を含めた使用経過時間情報の表示や長時間継続使用時の異常情報の表示と介護スタッフへの自動通報を可能にする手段と、自らの介護スタッフへの通報手段と、停電時の使用中トイレの臨時照明手段と、を備えた情報表示システムに関する。
【背景技術】
【０００２】  介護施設や老人ホームなどの施設のトイレには呼出ボタン等の押下によって異常を知らせるナースコールシステム等が設置され、介護スタッフは前記呼出ボタンの押下をもっての呼に応じて対応している。しかし、従来の前記ナースコールシステムにはトイレの使用経過時間の情報の表示手段によって介護スタッフがトイレの使用情報を容易に知ることが出来るものは知られていない。よって、異常に長く使用されていても、被介護者が自らによる呼出ボタンの押下が出来ない異常状態が生じていても警報を発する手段が無いので長時間放置される虞があるので、暫時トイレの状況の確認が要求され、介護スタッフの員数が少なくなる夜間には多くの負担となっている。【０００３】  また、該施設は高齢者を対象としているので、被介護者にトイレへの誘導を高い頻度で要求されるが、多くの施設に於いてトイレの空きを容易に知りえる手段の用意は無く、複数のトイレに足を運びトイレの空きを確認する必要があり、これによる介護スタッフの負担も軽微なものではない。【０００４】  そこで、前記介護スタッフの負担の軽減や異常発生時の長時間放置を回避するには、前記ナースコール等による被介護者自らの呼出ボタンの押下による通知手段に加え、トイレの空き情報を含めた使用経過情報の表示や、異常な長時間使用時の警報表示や通報を自動的に行う手段を用意し、介護スタッフがトイレの使用状況を容易に知りえるようにすることが有効であると考えられる。【０００５】  そして、上記トイレの使用情報を表示するシステムとしては、トイレに設置されたセンサーの感知情報によりそのトイレの使用中表示と、設定された時間を超えた場合には警報を発したり表示したりする手段を持つ情報表示システム（特許文献１）が提案されている。この情報表示システムは、トイレに設置されたセンサーと端末機器が管理センターに設置されたサーバーに接続され、前記センサーからの信号により入退出を管理し、トイレの清掃状況の管理、トイレ内においての情報の閲覧、トイレの使用中表示、及び空きトイレへの誘導を目的としたものである。またトイレに長時間不退出者がいる場合には警報を発すると共に警備員や管理者に通報することが出来る。【０００６】  しかし、この警報の警備員や管理者への通報においては、通報装置を用いての移動中の介護スタッフへの通報手段は用意されていないので、管理センターに介護スタッフが必ずしも在室しているとは限らない介護施設や老人ホームなどに於いては対応の遅れが生じる虞もある。また別にナースコール等が設置されない場合には呼出ボタン等の押下による緊急呼出手段も用意することが出来ないし、トイレの使用時間の経過情報を表示する手段も用意されていない。さらには、上記したように多種類のサービスを提供することを前提としているので設置費用が高額になる虞もある。よって、この情報表示システムを介護施設や老人ホームなどの高齢者用の施設で用いるには、情報の有効性を含め幾つかの問題点があることを否定できない。【０００７】  また、トイレ等個室の使用状況報知システムとしては、トイレの使用表示や長時間使用時の警報送出手段を備えた個室使用状況報知システム（特許文献２）が提案されている。この個室使用状況報知システムは、リミットスイッチ等によってのトイレの入出用ドアの開閉による検出手段と、センサーとによる検出手段とを併用し、該トイレの天井内に設置された送信機側コントローラーによる制御と、同様に天井内に設置された受信機側コントローラーによる出力によって、トイレの使用中の表示と、前記送信機側コントローラーに内蔵されたタイマーによる前記長時間使用時の警報通知とを、該トイレ外に設定された表示灯及びナースセンターに設置され音声警報送出手段を備えた表示灯により行うことが出来る。【０００８】  しかし、この個室使用状況報知システムによる前記トイレの使用中表示手段をもって介護施設や老人ホームなどの施設のトイレに用いた場合、該施設のドアは主にスライド式で、且つ特殊な構造を持っているものが多く、前記ドアの入退出用の検知手段に用いるリミットスイッチ等の設置が困難な場合もあるし、ドアの開閉を伴わないで使用される場合もあるので前記手段では検知されない虞もある。そして長時間使用時の通報手段においては、前記情報表示システム（特許文献１）と同様に通報装置を用いての移動中の介護スタッフへの通知手段が用意されていないので対応に遅れが生じる虞もある。また、呼出ボタン等の押下による緊急呼出手段も用意することが出来ないし、トイレの使用時間の経過情報を表示する手段も用意されていない。さらにはトイレの使用状況の表示に係る送信側コントローラーと受信側コントローラーを其々のトイレに設置する必要があるので設置に係る費用に於いての問題点もある。よって、この個室使用状況報知システムを介護施設や老人ホームなどの高齢者用の施設で用いるには、経済性、トイレの使用情報の通知手段、或いは警報通知手段において問題点があることを否定できない。
【先行技術文献】
【特許文献】
【０００９】
【特許文献１】特開２００３−２４２２３０
【特許文献２】特開２００５−３０５１２３
【発明の概要】
【発明が解決しようとする課題】
【００１０】  本発明は、以上のことから鑑みて、介護施設や老人ホームなどの施設において、介護スタッフにトイレの空き情報や使用中情報の表示、使用時間の経過情報の表示、及び、異常に長時間使用されている場合の警報表示や通報を自動的に行う手段と、被介護者自らによる緊急呼出を行うことが出来る手段とを備えた情報表示システムを安価にて提供することを課題にするものである。
【課題を解決するための手段】
【００１１】  本発明の１は、トイレに使用情報を送出する手段を備え、前記トイレの使用情報を基に使用状況情報を送出する手段を備えた制御装置と、複数の表現手段をもって前記使用状況情報を表示する表示灯と、で構成され複数のトイレの空き情報の表示と使用中情報の表示と使用経過時間情報の表示とを可能とする情報表示システムである。【００１２】  本発明の２は、トイレの長時間継続使用情報を警報として送出する手段を備えた請求項１に記載した情報表示システムである。【００１３】  本発明の３は、トイレ内またはベッド周辺に設置された呼出ボタンの押下による呼出手段を備えた請求項１または請求項２に記載した情報表示システムである。【００１４】  本発明の４は、充電可能な蓄電池設備を備え、停電時における継続作動と作動開始とを可能し、上記トイレの使用情報を基に使用中のトイレを臨時的に照明することをも可能とする請求項１または請求項２または請求項３のいずれかに記載の情報表示システムである。
【発明の効果】
【００１５】  本発明の１の情報表示システムによれば、介護施設や老人ホーム等の施設において、トイレに使用情報を送出する手段と、前記トイレの使用情報を基に表示灯への情報表示用信号の送出を行う制御部を擁し複数のトイレの使用状況情報を送出する手段を備えた制御装置Ａと、複数の表現手段をもって情報を表示する表示灯とを備えているので、介護スタッフが個々のトイレの空き情報、使用中情報、使用時間の経過情報が容易に知得出来るし、異常な長時間使用情報の知得も可能であるので、介護スタッフの負担軽減を図ることが出来る。【００１６】  本発明の２の情報表示システムによれば、介護施設や老人ホーム等の施設においてトイレ内に使用情報を送出する手段と、前記トイレの使用情報を基に表示灯への情報表示用信号の送出を行う制御部を擁し複数のトイレの使用状況情報を送出する手段を備えた制御装置Ａと、複数の表現手段をもって情報を表示する表示灯とを備えているので、介護スタッフが其々のトイレの空き情報、使用中情報、使用時間の経過情報を容易に知ることが出来るし、加えてトイレが異常と思われる時間以上継続使用されていれば自動的に異常を表示し通報機器をもって介護スタッフに通知するのでこれを知ることが出来る。よって、介護スタッフの負担軽減と共に、トイレ内の異常状態の被介護者を長時間放置する虞も無くすことを可能とするものである。【００１７】  本発明の３の情報表示システムによれば、介護施設や老人ホーム等の施設において、トイレ内に使用情報を送出する手段と、前記使用情報を基に表示灯への情報表示用信号の送出を行う制御部を擁し複数のトイレの使用状況情報と長時間使用時の異常情報の通知手段を備えた制御装置と、複数の表現手段をもって情報を表示する表示灯とを備えているので、介護スタッフが其々のトイレの空き情報、使用中情報、使用時間の経過情報を容易に知ることが出来るし、トイレが異常と思われる時間以上継続使用されていれば自動的に異常を表示し介護スタッフに通報機器をもって通知するのでこれを知ることが出来る。加えてトイレ内またはベッド周辺に呼出ボタンを用意することで被介護者自らの前記呼出ボタンの押下により介護スタッフへの呼出が可能なり、介護スタッフの負担の軽減と共に、異常を感じた被介護者に適格に対応することが出来るのでトイレ内の異常状態の被介護者を長時間放置する虞も無くすことを可能とするものである。【００１８】  本発明の４の情報表示システムによれば、介護施設や老人ホーム等の施設において、トイレ内に使用情報を送出する手段と、前記使用情報を基に表示灯への情報表示用信号の送出を行う制御部を擁し複数のトイレの使用状況情報を送出する手段を備えた制御装置と、複数の表現手段をもって情報を表示する表示灯とを備えているので、停電時においても介護スタッフが其々のトイレの空き情報、使用中情報、使用時間の経過情報を容易に知ることが出来るし、トイレが異常と思われる時間以上継続使用されていれば自動的に異常を表示し介護スタッフに通知するのでこれを知ることが出来るし、呼出ボタンによる介護スタッフへの呼出も出来るので、介護スタッフの負担の軽減と共に、異常を感じた被介護者に適格に対応することが出来るのでトイレ内の���常状態の被介護者を長時間放置する虞も無くすことが出来る、加えて非常照明の備えのない使用中のトイレを臨時的に照明することが可能なので、停電になってもトイレ使用者や介護スタッフがパニックになることを防ぐ事を可能とするものである。
【図面の簡単な説明】
【００１９】
【図１】は本発明の情報表示システムの最終形態の構成と、実施例５におけるトイレの１０分経過使用時の停電による臨時照明に係わる情報伝達経路、及び臨時照明器具への出力経路を示す概略図。
【図２】は実施例１の情報表示システムの構成を示す概略図。
【図３】は実施例１の情報表示システムにおける制御部内に構築された回路、及び接続系統を示す概略図。
【図４】は実施例１におけるセンサーが未感知状態時の表示灯の空き表示に係る情報伝達経路、及び表示灯への出力経路を示す概略図。
【図５】は実施例１におけるセンサーの人体感知から使用中表示に係る情報伝達経路、及び表示灯への出力経路を示す概略図。
【図６】は実施例１におけるトイレの１０分経過使用時の表示灯の準異常情報表示に係る情報伝達経路、及び表示灯への出力経路を示す概略図。
【図７】は実施例１における異常警報表示に係る情報伝達経路、及び表示灯への出力経路を示す概略図。
【図８】は実施例１における使用中表示に係る表示灯と集合表示灯への情報伝達経路、及び出力経路を示す概略図
【図９】図９は実施例２における制御装置内の制御部の構成を示す概略図
【図１０】は実施例２におけるトイレの２０分経過使用時の表示灯への異常警報表示、及び通報用機器への出力に係る情報伝達経路、及び出力経路を示す概略図。
【図１１】は実施例３の情報表示システムの構成と接続系統を示す概略図。
【図１２】は実施例３における呼出ボタンの押下による表示灯への異常警報表示、及び通報用機器への出力に係る情報伝達経路、及び通報用機器への出力経路を示す概略図。
【図１３】は実施例４の電話交換機との連動に係わる情報表示システムの構成を示す概略図。
【図１４】は実施例５の情報表示システムの構成と接続系統を示す概略図。
【発明を実施するための形態】
【００２０】  以下、本発明を具体化した実施の形態について図面を参照しながら説明する。
【実施例１】
【００２１】  図２は本発明の情報表示システムの実施例１の構成を示す概略図であるが、該図２が示すように個々のトイレ内に設置され人体の感知による情報送出を行うセンサーＣ１〜センサーＣｎと、電源部と前記各センサーの情報を基に各表示灯への情報表示用信号の送出を行う制御部Ｂ１〜制御部Ｂｎを擁した制御装置Ａと、個々のトイレの使用情報を表示する表示灯Ｄ１〜表示灯Ｄｎと、で構成されている。【００２２】  前記制御装置Ａであるが、前記したように全ての制御部を擁し、本実施例を含め以下に説明する全ての制御をおこなうもので、前記制御部内の全ての回路及び以下に説明に於いて該制御装置Ａ内に用意される全ての回路をプログラミングによって構築することを可能とするものであり、また、前記の複数のセンサー及び複数の表示灯を含め以下の説明に於いて該制御装置Ａに接続される全ての機器及び全ての回路用としての接続用端子の用意を可能とするものである。そして、前記プログラムは本実施例を含め以下の実施例においても、実施形態や使用状況やユーザーの要望に応じての変更を可能とするものである。【００２３】  そして、前記センサーＣであるが、前記したように介護施設や老人ホーム等の施設の各トイレの使用情報の送出を目的とするので、施設に応じた検知機能を有するものを選択すればよいもので特に指定するものではない。【００２４】  また、前記表示灯Ｄは前記制御部Ｂより出力されるトイレの空き情報と使用中情報と使用時間経過情報と下記に説明する警報情報とを表示する為に用いるもので、本実施例１に於いては、緑と赤の色を有する２色表示灯Ｄを採用し、緑色点灯、赤色点灯、緑色点滅、及び赤色点滅の４種類の表示による表現手段を用いる。そして、前記緑色点灯を空き情報、前記緑色点滅を使用開始から１０分までを使用中情報、前記赤色点灯を使用開始１０分後から２０分までの情報、前記赤色点滅を使用開始から２０分が経過した情報として表示する例をもって説明するが、前記したように各タイマーの設定時間はユーザーの要求に応じたものとすることも可能である。【００２５】  図３は、上記した制御装置Ａ内の制御部Ｂの構成を示す概略図であるが、該制御部Ｂは感知起動回路とシステム起動回路と保持用タイマーとタイマーＡとタイマーＢとタイマーＣと緑色灯出力部と赤色灯出力部とを一組として複数構成されている。そして、前記保持用タイマーはセンサーＣの人体の検知情報を基に起動し前記システム起動回路を起動させるものであり、前記システム起動回路は前記感知起動回路と前記保持用タイマーを除く制御部Ｂ内の全ての起動と停止を制御するものであり、前記緑色灯出力部は前記表示灯Ｄ内の緑色灯を、前記赤色灯出力部は前記表示灯Ｄ内の赤色灯させる役目を担うものである。【００２６】  該図３を基に説明する。前記感知起動回路は保持用タイマーを起動させ、前記保持用タイマーは前記システム起動回路を起動させるが、前記保持用タイマーは、センサーの多くは人体が動作を停止すると非感知となることを考慮し、センサーＣが前記保持用タイマーに設定された時間内に再感知すれば前記システム起動回路の起動状態を継続させ、在室でも未感知による復旧を避けるべく用意したもので、該センサーＣが前記保持用タイマーに設定された時間を超えて受信しない場合は退室とみなし復旧する。【００２７】  また、前記はトイレの使用時間の計測用に用意されたもので、前記緑色灯出力部及び前記赤色灯出力部は前記タイマー何れからかの情報信号を前記表示灯Ｄに出力する役目を担うものである。【００２８】  トイレが使用されていない場合の表示について、センサーＣ１が設置されたトイレ１を例にとり図４を基に説明するが、該図４に示す矢印は情報の伝達方向を示し、そして上記したようにプログラムは既に成されているものとして説明する。このことは以下の説明に於いても同様であるので以下の説明に於いては省略する。また、他の制御部においても同様であるので他の制御部については以下を含め説明は省略する。【００２９】  センサーＣ１が未検知の状態では、感知起動回路１、システム起動回路１、タイマーＡ１、タイマーＢ１、タイマーＣ１はいずれも動作を停止している。この状態においては停止中のシステム起動回路１が緑色灯出力部に未使用情報として連続信号を表示灯Ｄ１に出力する。これにより前記緑色灯出力部１に接続された表示灯Ｄ１の緑色灯は前記センサーＣ１が人体を検知するまで点灯する。よって、該トイレ１の空情報が周知されるので介護スタッフは該トイレ１の空きを容易に知ることが出来る。【００３０】  つぎに前記トイレ１の使用開始から１０分後までの使用中表示について、図５の例を基に説明する。センサーＣ１が人体を検知し制御部Ｂ１の感知起動回路１が起動する。これによりシステム起動回路１と保持用タイマー１とが起動すると、前記システム起動回路１は前記未使用情報の送出を停止し、起動情報をタイマーＡ１に送りこれを起動させる。そして該タイマーＡ１は緑色灯出力部１に使用中情報を送り、これをもって緑色灯出力部１は断続信号を表示灯Ｄ１の緑色灯に送出する。これにより表示灯Ｄ１は緑色点滅となり該トイレが使用中であることを前記タイマーＡ１の満了時間である１０分を経過するまで、または、上記に説明したセンサーＣ１の一定時間を超えた未検出による前記システム起動回路１の復旧まで継続送出する。これをもって介護スタッフは該トイレ１が使用中であることを容易に知ることが出来る。【００３１】  つぎに前記トイレ１の使用開始１０分後から２０分までの表示について図６の例を基に説明するが、１０分を超えるトイレの継続使用はやや異常と思われるので、本説明に於いてはこの情報を準異常情報として表現し図示も同じとし、以下の説明に於いても同じ表現を用いる。トイレ１の使用時間が１０分を経過するとタイマーＡ１は設定された時間が満了するので緑色灯出力部１への情報の送出を停止しタイマーＢ１に起動情報を含む満了情報を送る。これをもって該タイマーＢ１は赤色灯出力部１に前記準異常情報を送出するので赤色灯出力部１からは連続信号が表示灯Ｄ１の赤色灯に送出される。よって、表示灯Ｄ１の前記緑色表示灯Ｄは滅灯し赤色灯が点灯するので、該トイレ１の使用時間が分１０分を経過して使用されていることを表示する。これはタイマーＢ１の設定時間が満了するまで継続する。これにより介護スタッフはトイレ１が１０分以上使用され異常が感じられることを該トイレ行くことなく認識することが出来きる��【００３２】  図７の例を基に説明するが、該トイレ１の使用が２０分を経過すると、前記タイマーＢ１は設定された時間が満了するので、該タイマーＢ１は前記赤色灯出力部１への前記準異常情報の送出を停止し、起動情報を含む満了情報をタイマーＣ１に送る。そして該タイマーＣ１が起動すると２０分経過情報を赤色灯出力部１にこの情報を送出するが、この２０分を超える継続使用は異常と思われるのでこれを異常情報として表現し図示も同じとする。また、以下の説明に於いても同じ表現を用いる。【００３３】  そして、前記タイマーＣ１から前記異常情報が赤色灯出力部１に送出されると、該赤色灯出力部１は断続信号を表示灯Ｄ１に送出する。これをもって前記Ｂ１からの準異常情報による表示灯Ｄ１の赤色灯の点灯は異常情報である点滅に変わるので、該トイレの使用時間が分２０分を経過しても使用されていることを異常情報として警報表示する。そしてこの警報表示により、トイレ１が異常に長い時間使用されていることを周知することが出来る。【００３３】  つぎに、集合表示灯Ｊについて説明に必要な部分のみを記した図８の例を基に説明する。前記集合表示灯Ｊは該図８に示すように表示灯Ｄ１ａ〜表示灯Ｄｎａを擁するもので、例えば表示灯Ｄを目視出来ない場所での集中監視、或いは集合トイレにおいて個別の使用状況表示を可能にすることを目的として別に用意したものである。そして、上記にて説明したように本発明である情報表示システムおける表示灯への出力信号は個々の制御部内の緑色灯出力部または赤色灯出力部より直接出力されるので、自己内の回路や他の制御部に影響すること無く複数の表示灯を接続することが出来る。【００３４】  該図８はトイレ１の使用開始時における情報表示を例として示したものであるが、前記にて説明したように、この状態においては緑色灯出力部Ａ１から断続信号が出力されているので、例えばトイレ１付近の表示灯Ｄ１と、別の場所に設置された前記集合表示灯Ｊの表示灯Ｄ１ａのそれぞれに信号を送り同時表示することが出来る。よって、全てのトイレの使用状況情報を例えば管理室等で監視することが可能となり、夜間に於ける介護スタッフの負担を軽減することが可能となる。【００３５】  よって、本発明である情報表示システムは、トイレの配置に係わらず個々のトイレの使用者の有無や使用時間の把握を可能とするものであり、上記準警報表示によっての事前把握も含め、例えばトイレ内にナースコールの呼出ボタンを自らでは押下出来ない被介護者が存在しても前記複数の表示灯の警報表示によっての知得を可能とするものである。
【実施例２】
【００３６】  実施例２の情報表示システムは、上記実施例１で説明したトイレの空き情報と使用中情報と準異常や異常な長時間使用情報の表示灯による表示に加え、前記異常な長時間使用時には自動式に介護スタッフを呼び出す手段を付加したものである。【００３７】  図９は本実施例２における制御装置Ａ内の制御部Ｂの構成を示す概略図であるが、該図９が示すように上記実施例１にて説明したセンサーＣ、表示灯Ｄ、制御部Ｂ内には感知起動回路、システム起動回路、保持用タイマー、タイマーＡ、タイマーＢ、タイマーＣ、緑色灯出力部、赤色灯出力部と、本実施例２に於いては、加えて警報出力部が用意され、さらに該警報出力部には外部への警報出力用として採用する通報用機器に接続されているが、前記警報出力部は他の制御部にも用意されるので、起動時においてはわずかな時間のみ前記通報機器への起動信号を出力するよう定められ、他の制御部Ｂによる前記通報機器への呼び出しを妨げないものである。そして、前記通報用機器は全ての制御部に用意される前記警報出力部から出力される前記起動信号での起動を可能とし、音響を含め警報としての表現手段を有したものであれば機器の選択は自由である。これ以外の点は、全て上記実施例１の情報表示システムと同様であるので、以下には実施例１と異なる部分のみ説明し、同様の部分は必要な場合を除いての説明は省略し、また説明に必要な部分以外の図示も省略する。【００３８】  トイレの異常な長時間使用時の介護スタッフへの自動的呼出手段について、センサーＣ１が設置されたトイレ１を例にして図１０を基に説明する。該トイレ１の使用が２０分を超えて使用されると、上記したようにタイマーＣ１が異常情報を赤色灯出力部１に送り表示灯Ｄ１の赤色灯点滅による警報表示を行うが、該異常情報は該図１０が示すように前記警報表示出力部１にも送られる。そして、前記したように該警報出力部１が作動すると通報用機器に起動信号を送り作動させる。よって、異常に長時間使用されているトイレがあると、例え介護スタッフが移動中であっても前記音響又は他の手段によって自動的に通知されるので、被介護者がナースコール設備の呼出ボタンを押下出来ない状態になった場合に生じる長時間放置を防ぐことが出来る。【００３９】  また、上記実施例１、及び本実施例２での説明に於いては、本発明の情報表示システムが特徴とするトイレの空き情報や使用中情報及び使用時間経過情報の表示に係る起動及び復帰手段を、センサーによる起動及び復帰として説明したが、比較的高価な前記センサーに変え押しボタンをトイレの出入り口付近に設置し、これを押下することで上記にて説明した入室による起動または退室による復帰を促すことも可能である。【００４０】  よって、本発明の情報表示システムは、トイレの空き情報と使用中情報と長時間使用による準異常警報及び異常な長時間使用情報の警報表示と、前記異常な長時間使用時の介護スタッフへの呼出とを自動的に行うことを可能とするものであり、前記したようにその起動及び復帰手段を自動的手段でも手動的手段でも行えるので、より安価にて提供することも可能とするものである。
【実施例３】
【００４１】  実施例３の情報表示システムは、上記実施例１、又は実施例２にて説明したセンサーまたは押しボタンによって起動し、トイレの空き情報と使用中情報と長時間使用による準警報の表示と異常な長時間使用時の表示と介護スタッフの自動的呼出機能とに加え、本実施例３においてはトイレ内またはベッド周辺に呼出ボタンと復帰ボタンとを備え、前記呼出ボタンの押下による緊急呼出しと、前記復帰ボタンによる前記緊急呼出しの復帰手段を付加したものである。【００４２】  図１１は本実施例３における制御装置Ａ内の制御部Ｂの構成を示す概略図であるが、制御部Ｂには上記にて説明したタイマーＡ、タイマーＢ、タイマーＣ、加えて、呼出ボタンＫと該呼出ボタンＫの押下によって起動するによる緊急呼出回路、及び、復帰ボタンＦと該復帰ボタンＦの押下によって前記緊急呼出回路の起動を停止させる復帰回路とが用意されている。前記緊急呼出回路であるが、起動時には緊急呼情報を上記システム起動回路に送出し、同時に異常信号を上記赤色灯出力部と警報出力部に送出する。そして、前記システム起動回路に前記緊急呼情報が送られると、前記システム起動回路からのタイマーへの起動信号を停止するよう設定されている。【００４３】  そして、前記復帰回路であるが、前記復帰ボタンＦが押下によって起動し、復帰信号を前記緊急呼出回路と前記システム起動回路に送出し、前記緊急呼出回路の前記緊急呼出回路の復旧と、前記システム起動回路の前記緊急呼による動作解除を担うものである。これ以外の点は全て上記実施例１、または実施例２の情報表示システムと同様であるので、以下には実施例１、または実施例２と異なる部分のみ説明し、同様の部分は必要な場合を除いての説明は省略する。また説明に必要な部分以外の図示も省略する。【００４４】  前記呼出ボタンＫの押下による緊急呼出しと前記復帰ボタンＦによる復帰について、センサーＣ１が設置されたトイレ１が使用開始より１０分以内で使用されている状態を例にして図１２を基に説明する。前記トイレ１が使用開始より１０分以内で使用されている状態に於いては、上記実施例１、または実施例２で説明したようにタイマーＡ１からの情報によって表示灯Ｄ１を緑色点滅させて該トイレ１が使用中であることを表示している。このとき前記呼出ボタンＫ１が押下され緊急呼出回路１が起動すると、前記したように前記緊急呼出回路１からの緊急呼情報によりシステム起動回路１からのタイマーＡ１への起動信号が停止するので使用中情報の送出は停止する。同時に異常情報を赤色灯出力部１と警報出力部１に送出するので、表示灯Ｄ１は赤色点滅し異常情報表示を行い、また、警報出力部１の起動による起動信号により通報機器が起動するので、トイレ１に異常があることを前記表示灯Ｄ１の前記警報表示と通報機器の警報によって介護スタッフに知らせることが出来る。【００４５】  前記復帰ボタンＦの押下による前記緊急呼出しによる動作の復帰について説明する。前記緊急呼出しの動作中に復帰ボタンＦ１が押され復帰回路１が起動すると、前記したように復帰信号により前記緊急呼出回路１は復旧し異常情報の送出を停止し、そして前記システム起動回路はタイマーＡへの起動信号を再送出する。よって、前記��ンサーＣ１は感知中であり感知中情報は継続されて送られているので前記表示灯Ｄ１には前記異常情報に変わり使用中情報が表示される。このことは、例えばトイレ使用者が誤って押したものであれば前記復帰ボタンＦ１の押下をもって前記緊急呼出しに係わる動作を停止させ、前記タイマーＡ１による使用中情報の継続を可能とするものである。【００４６】  以上説明したように、本情報表示システムは上記実施例１、または実施例２にて説明したセンサーＣまたは押しボタンによるトイレの空き情報と使用中情報と長時間使用による準異常警報及び異常な長時間使用情報の警報表示と異常な長時間使用時の介護スタッフへの自動的呼出とに加えて、前記呼出ボタンＫと復帰ボタンＦによる緊急呼出の手動的呼出と復帰をも可能とするものである。
【実施例４】
【００４７】  上記実施例２に於いて警報送出用の通報機器は音響を含め警報としての表現手段を有したものとして説明したが、この手段では介護スタッフにどのトイレに異常が生じたかを通知出来ない。そこで、本実施例４においてはこれを補う機能を有した通報用機器の採用と、前記実施例３に於いて説明した呼出ボタンＫと復帰ボタンＦについてさらに説明する。【００４８】  従来のナースコール設備は電話交換機を連動させコードレス電話機によって移動中の介護スタッフに通知する手段が多く採用されている。しかし、この設備にはナースコール、電話交換機、さらに前記両設備を連動させる連動装置と、を必要とするため多額の設置費用が必要となる。そこで設置費用の削減の手段として、前記コードレス電話機とドアホンを使用し呼出ボタンによる緊急呼出手段とする電話交換機を用いたインターホンシステム（以下に於いては電話交換機として説明する）を採用する施設もある。しかし、該電話交換機設備には、呼出し時に呼出した回路情報を添えて電話機を呼び出すことは出来るが表示灯による情報表示手段は用意されていない。【００４９】  そこで、本発明である情報表示システムは上記にて説明したように安価にての提供と、表示灯による情報表示を可能とするものである。よって、上記実施例３にて説明した警報情報の送出用である通報機器として前記電話交換機を採用することで、前記電話交換機による呼出回路情報を添えた介護スタッフへの呼出と、本情報表示システムによる警報表示と、を備えることとなり、従来のナースコール設備が擁する機能に準じた設備として用いることが可能となる。【００５０】  しかし、前記電話交換機と本発明である情報表示システムとを連動するには、上記実施例３にて説明した緊急呼出回路の前記ドアホンの呼出ボタンによる起動と、警報出力部による前記ドアホン回路の起動とを可能とすることが条件として求められる。【００５１】  そこで、前記電話交換機側の前記ドアホンの呼出ボタンの押下による本情報表示システムの起動について説明する。前記したように本情報表示システムを作動させ表示灯に情報表示を行うには前記したように緊急呼出回路を起動させる必要があるが、該緊急呼出回路は上記したように呼出ボタンの押下によって起動することが出来るし、一方電話交換機のドアホン回路は呼出ボタンの押下によって起動する。そこで、図１３に示すように、前記緊急呼出回路を起動させる為に制御部Ｂ内に緊急起動回路を用意したもので、ドアホンＥの呼出ボタンＭの押下時に本情報システムを起動させるように前記ドアホンＥとドアホン回路間に並列に接続してある。【００５２】  そして、前記緊急呼出回路であるが、この回路に要求される条件は、前記呼出ボタンＭの押下時に前記ドアホン回路の起動に影響を及ぼさずに起動することであるが、この条件を満たす電子リレーのいくつかが既に安価にて市販されている。そこで、この電子リレーを採用した前記緊急呼出回路を作成したものである。よって、前記ドアホンＥの呼出ボタンＭの押下時に本情報表示システムの前記緊急起動回路の起動を可能とすることが出来る。【００５３】  つぎに、本情報表示システムによる前記電話交換機Ｇのドアホン回路の起動について説明する。該���１３に示すように、前記ドアホン回路には前記警報出力部も接続されている。そして、前記ドアホン回路は呼出ボタンＭの押下によって起動するが、前記呼出ボタンＭの多くは機械的メイク接点を採用している。そこで前記警報出力部は起動信号を前記ドアホン回路にループ信号を出力するようにしたものであるが、もし前記ドアホン回路の起動条件が別の種類のものであれば前記警報出力部は前記呼出ボタンＭと同条件の疑似回路を内部に採用したものでもよい。これをもって前記警報出力部による前記電話交換機ＧのドアホンＥ回路の起動が可能となるので、上記センサーによる異常情報の通報時に於いても、前記ドアホンＥの呼出しボタンＭによる緊急呼出時に於いても回路情報を添えて電話機を呼出すことが可能となり、応答者はいずれからの呼出であるかを識別することが出来る。【００５４】  また、前記ドアホンＥの呼出しボタンＭをもっての緊急呼出による表示灯Ｄの異常警報表示であるが、前記の説明に於いては該表示灯Ｄの復帰用のタイマーは関わっていない。よって、例えば電話機の応答にて対応が済んでしまった場合には、前記表示灯Ｄによる異常警報表示は継続されていることになる。そこで、図１３に示すように、前記緊急呼出回路の起動情報によって起動し一定の時間後に満了時間を迎えるタイマーＤを用意し、これの起動をもって前記復帰回路を起動させれば上記実施例３にて説明したように前記緊急呼出回路が復帰するので、ドアホンＥが設置されたトイレに行くことなく前記表示灯Ｄの異常警報表示を停止させることが出来る。【００５５】  本情報表示システムとナースコール設備との連動について説明する。前記に於いては、本情報表示システムと電話交換機との連動として説明したが、ナースコール設備もまた呼出ボタンによる緊急呼出手段と復帰ボタンによる復帰手段とを採用している。そこで、上記にて説明した電話交換機のドアホン回路と本情報表示システムとの連動手段と同様に、ナースコース設備の呼出ボタンによる起動条件と復帰ボタンによる復帰条件とを採り入れた前記緊急呼出回路と復帰回路とを採用することでナースコース設備との連動を可能とすることが出来る。【００５６】  以上説明したように、本発明である情報表示システムは、電話交換機との連動も、従来のナースコールとの連動をも可能とするものである。よって、上記にて説明したインターホンシステムとして電話交換機使用する施設、或いは従来のナースコールを使用する施設に於いても、本発明の情報表示システムにより、上記実施例１〜実施例３にて説明したセンサーまたは押しボタンによるトイレの空き情報の表示と、使用中情報の表示と、準異常情報の表示と、異常な長時間使用時の自動警報表示と自動呼出しと、従来のナースコールの機能である呼出ボタンの押下による回路情報を添えた介護スタッフへの緊急呼出しと表示灯による緊急呼出表示とを可能とすることが出来る。
【実施例５】
【００５７】  図１４は本実施例５の構成を示す概略図で説明に必要な部分のみを記したものである。そして該図１４に示すように、電話交換機ＧとドアホンＥと復帰ボタンＦとセンサーＣと表示灯Ｄ、加えて制御部Ｂ内には臨時照明出力回路が用意され別に用意した臨時照明器具Ｈに接続されている。そして、制御装置Ａには停電感知回路が用意され、電源部は充電装置と蓄電池設備を備えた電源装置Ｌから受電している。そして、前記蓄電池設備の蓄電容量は、以下に説明する本情報表示システムによる全ての動作の継続と開始とを可能とするもので停電時には自動的に電源の供給を開始するものである。これ以外の点は、上記実施例１〜実施例４の説明と同様であるので、以下には同様の部分は必要な場合を除いて図示及び説明を省略する。【００５８】  図１は、本発明の情報表示システムの最終形態を示す概略図であり、且つ、本実施例５の説明に必要な部分を記したものであるので、該図１を基に停電時の動作についてトイレ１内に設置されたセンサーＣ１が人体を検知開始してから１０分が経過した状態を例にとり説明する。【００５９】  センサーＣ１が人体を検知し１０分が経過した状態に於いては、上記にて説明したようにタイマーＢ１からの準異常信号により赤色灯出力部１が連続信号を送出し表示灯Ｄ１と集合表示灯Ｊの表示灯Ｄ１ａが赤色点灯しているが、この時停電が起きると全ての起動や情報表示が停止する恐れがある。そこで、前記蓄電池設備を用意したものである。【００６０】  そして、前記したように該蓄電設備より自動的に電源の供給が開始されるので、センサーＣ１の人体感知情報の送出とタイマーＢ１の動作も継続され、また、前記表示灯Ｄ１と集合表示灯Ｊの表示灯Ｄ１ａも赤色点灯を継続することが出来る。【００６１】  そして、他の制御部が起動中であれば同様に継続されるし、また、該蓄電池設備からの電源の供給は前記したように停電中における作動開始も含まれるので、停電後の他の制御部の起動も可能とするものでもある。【００６２】  また、停電が起きると前記停電感知部が起動しその情報は全ての制御部Ｂにその情報を送るが、該図１が示すように、この情報はシステム起動回路１を経由して臨時照明出力部１に送られるので、システム起動回路が未起動の臨時照明出力部は起動しない。よって、制御部Ｂが起動中の臨時照明出力部のみがこの情報によって動作を開始し前記臨時照明器具Ｈ１に電源を供給するので使用中のトイレのみが臨時的に照明されることになる。【００６３】  そして、前記蓄電池設備の容量に係わる消費電力であるが、前記に説明の表示灯Ｄ、集合表示灯Ｊ、及び臨時照明器具Ｈは消費電力が少ないＬＥＤ式のものを採用することが出来るし、前記タイマーも消費電力は少ない。また、前記したように未起動の制御部Ｂ及び未灯の各表示灯も電力を消費しない。よって、本情報表示システムに於いて使用する前記蓄電池設備は高額な大容量のものを必要としない。【００６４】    よって、本発明の情報表示システムは、停電時に於いてもトイレの空き情報の表示と、使用中情報の表示と、準異常情報の表示と、異常な長時間使用時の自動警報表示と自動呼出しと、呼出ボタンの押下によっての呼出回路の情報を添えた介護スタッフへの緊急呼出しと表示灯による緊急呼出表示と、停電時の使用中トイレの臨時的に照明と、を可能とするので、介護施設や老人ホームなどの施設における介護スタッフの負担の軽減と、トイレに長時間放置されて生じる事故の防止と、停電時の使用中トイレの滅灯によるパニックの防止を可能とするもので、安価にての提供を可能とする情報表示システムである。
【符号の説明】
【００６５】  Ａ    制御装置
Ｂ    制御部
Ｃ    センサー
Ｄ    表示灯
Ｅ    ドアホン
Ｆ    復帰ボタン
Ｇ    電話交換機
Ｈ    臨時照明器具
Ｊ    集合表示灯
Ｋ    呼出ボタン
Ｌ    電源装置
【図１】
2011170827.tif 000003
【図２】
2011170827.tif 000004
【図３】
2011170827.tif 000005
【図４】
2011170827.tif 000006
【図５】
2011170827.tif 000007
【図６】
2011170827.tif 000008
【図７】
2011170827.tif 000009
【図８】
2011170827.tif 000010
【図９】
2011170827.tif 000011
【図１０】
2011170827.tif 000012
【図１１】
2011170827.tif 000013
【図１２】
2011170827.tif 000014
【図１３】
2011170827.tif 000015
【図１４】
2011170827.tif 000016